(57)【要約】【課題】組み立て性やメンテナンス性が良くし、また、機器により熱交換器や弁やノズルなど構造が変わっても、その都度配管経路の設計を行うことがないことを目的とする。【解決手段】本体１に、気液熱交換器２と液液熱交換器３と浴室に温水を霧状に噴射する噴射ノズル４と配管ユニット５を備えた浴室暖房乾燥機において、配管の一部または全部を、一定の領域内に納める取り外し可能なユニットとしたことにより、組み立て性やメンテナンス性が良くするとともに、機器により熱交換器や弁やノズルなど構造が変わっても、その都度配管経路の設計を行うことがない浴室暖房乾燥機を提供できる。【選択図】図２
2011002173.tif 000002
【特許請求の範囲】
【請求項１】
本体内に熱交換器と熱源機から本体へ送水された温水または水を前記熱交換器へ給水する給水配管と、前記熱交換器から前記熱源機へ送水する排水配管と、弁と、前記熱交換器や前記弁とを接続し経路を構成する配管を備えた浴室暖房乾燥機において、前記配管の一部または全部を、一定の領域内に納める取り外し可能なユニットとしたことを特徴とする浴室暖房乾燥機。
【請求項２】
前記配管と前記弁と前記熱交換器とを組み合わせたアクチュエータ部とを一体化しユニットにしたことを特徴とする請求項１に記載の浴室暖房乾燥機。
【請求項３】
前記ユニットを樹脂で形成し、前記熱交換器や前記弁とを接続する経路を前記ユニット内部に形成したことを特徴とする請求項１に記載の浴室暖房乾燥機。
【請求項４】
前記弁を、前記ユニット内部に形成したことを特徴とする請求項３に記載の浴室暖房乾燥機。
【請求項５】
ユニットをいくつか分割した分割ユニットに形成し、前記分割ユニットを必要に応じて選択し組み立てることを特徴とする請求項１〜４のいずれかに記載の浴室暖房乾燥機。
【請求項６】
浴室内に温水や水を噴霧する配管とユニットとの接続をワンタッチで接続することを特徴とする請求項１〜５のいずれかに記載の浴室暖房乾燥機。
【発明の詳細な説明】
【技術分野】
【０００１】
本発明は、組み立て性やメンテナンス性向上させた配管ユニットを有する浴室暖房乾燥機に関する。
【背景技術】
【０００２】
従来、この種の浴室暖房乾燥機は、本体内部に設置された熱交換器や加熱手段などのそれぞれの装置を配管で接続したものが知られている（例えば、特許文献１参照）。
【０００３】
以下、その浴室暖房乾燥機について、図５を参照しながら説明する。
【０００４】
図５に示すように、本体１０１内に熱交換器１０２と水破砕手段１０３と気液分離手段１０４と循環温水回路１０５とを備えた構成となっている。
【０００５】
循環温水回路１０５と熱交換器１０２および熱交換器１０２と気液分離手段１０４はそれぞれが配管接続されており、熱源としての給湯器より本体に供給された温水は、循環温水回路１０５を通り、熱交換器１０２を介して気液分離手段１０４に入り、再び給湯器へ戻るというものである。
【先行技術文献】
【特許文献】
【０００６】
【特許文献１】特開２００６−２５９６７号公報
【発明の概要】
【発明が解決しようとする課題】
【０００７】
このような従来の浴室暖房乾燥機では、熱交換器や循環温水回路等の構成部品を繋ぐ配管経路が複雑になり、組み立て性やメンテナンス性が悪く、また、機器により熱交換器や弁やノズルなど構造が変わってしまうため、その都度配管経路の設計を行う必要があるという課題がある。
【０００８】
本発明は、このような従来の課題を解決するものであり、組み立て性やメンテナンス性が良くするとともに、機器により熱交換器や弁やノズルなど構造が変わっても、その都度配管経路の設計を行うことがない浴室暖房乾燥機を提供することを目的とする。
【課題を解決するための手段】
【０００９】
本発明の浴室暖房乾燥機は、上記目的を達成するために、本体内に熱交換器と熱源機から本体へ送水された温水または水を前記熱交換器へ給水する給水配管と、前記熱交換器から前記熱源機へ送水する排水配管と、弁と、前記熱交換器や前記弁とを接続し経路を構成する配管を備えた浴室暖房乾燥機において、前記配管の一部または全部を、一定の領域内に納める取り外し可能なユニットとしたものである。
【００１０】
また、他の手段は、前記配管と前記弁と前記熱交換器とを組み合わせたアクチュエータ部とを一体化しユニットにしたものである。
【００１１】
また、他の手段は、前記ユニットを樹脂で形成し、前記熱交換器や前記弁とを接続する経路を前記ユニット内部に形成したものである。
【００１２】
また、他の手段は、前記弁を、前記ユニット内部に形成したものである。
【００１３】
また、他の手段は、ユニットをいくつか分割した分割ユニットに形成し、前記分割ユニットを必要に応じて選択し組み立てるものである。
【００１４】
また、他の手段は、浴室内に温水や水を噴霧する配管とユニットとの接続をワンタッチで接続するものである。
【発明の効果】
【００１５】
本発明によれば、本体内に熱交換器と熱源機から本体へ送水された温水または水を前記熱交換器へ給水する給水配管と、前記熱交換器から前記熱源機へ送水する排水配管と、弁と、前記熱交換器や前記弁とを接続し経路を構成する配管を備えた浴室暖房乾燥機において、前記配管の一部または全部を、一定の領域内に納める取り外し可能なユニットとしたことにより、組み立て性やメンテナンス性が良くするとともに、機器により熱交換器や弁やノズルなど構造が変わっても、その都度配管経路の設計を行うことがないという効果のある浴室暖房乾燥機を提供することができる。
【００１６】
また、前記配管と前記弁と前記熱交換器とを組み合わせたアクチュエータ部とを一体化しユニットにしたことにより、接続部を減らすことができるので、組み立て性やメンテナンス性が良くし、また、機器により熱交換器や弁やノズルなど構造が変わっても、その都度配管経路の設計を行うことがないという効果のある浴室暖房乾燥機を提供することができる。
【００１７】
また、前記ユニットを樹脂で形成し、前記熱交換器や前記弁とを接続する経路を前記ユニット内部に形成したことにより、省スペースで複雑な経路でも容易に形成することができ、かつ、組み立て性やメンテナンス性が良くし、また、機器により熱交換器や弁やノズルなど構造が変わっても、その都度配管経路の設計を行うことがないという効果のある浴室暖房乾燥機を提供することができる。
【００１８】
また、前記弁を、前記ユニット内部に形成したことにより、弁としての機能部分のみをユニット内部に形成できるので、材料のコストダウンすることができ、かつ、組み立て性やメンテナンス性が良くし、また、機器により熱交換器や弁やノズルなど構造が変わっても、その都度配管経路の設計を行うことがないという効果のある浴室暖房乾燥機を提供することができる。
【００１９】
また、ユニットをいくつか分割した分割ユニットに形成し、前記分割ユニットを必要に応じて選択し組み立てることにより、製品仕様に応じて必要なユニットのみを選択できるので、コストダウンおよび容易に必要に応じた設計をすることができるという効果のある浴室暖房乾燥機を提供することができる。
【００２０】
また、浴室内に温水や水を噴霧する配管とユニットとの接続をワンタッチで接続することにより、接続部分の部品を削減できるのでコストダウンができ、かつ、ワンタッチで接続できるので組み立て性を向上させることができるという効果のある浴室暖房乾燥機を提供することができる。
【図面の簡単な説明】
【００２１】
【図１】本発明の実施の形態１の浴室暖房乾燥機を示す底面構成図
【図２】同浴室暖房乾燥機の配管ユニットを示す構成図
【図３】本発明の実施の形態２の浴室暖房乾燥機の配管ユニットを示す斜視図
【図４】本発明の実施の形態３の浴室暖房乾燥機の配管ユニットを示す斜視図
【図５】従来の浴室暖房乾燥機を示す底面構成図
【発明を実施するための形態】
【００２２】
本発明の請求項１記載の浴室暖房乾燥機は、本体内に熱交換器と熱源機から本体へ送水された温水または水を前記熱交換器へ給水する給水配管と、前記熱交換器から前記熱源機へ送水する排水配管と、弁と、前記熱交換器や前記弁とを接続し経路を構成する配管を備えた浴室暖房乾燥機において、前記配管の一部または全部を、一定の領域内に納める取り外し可能なユニットとしたこととしたものであり、配管の一部または全部を、一定の領域内に納めて取り外し可能なユニットとして、取り付けたり取り外したりするという作用を有する。
【００２３】
また、前記配管と前記弁と前記熱交換器とを組み合わせたアクチュエータ部とを一体化しユニットにしたこととしたものであり、配管と弁と熱交換器とを組み合わせたアクチュエータ部とを一体化しユニットにして、取り付けたり取り外したりするという作用を有する。
【００２４】
また、前記ユニットを樹脂で形成し、前記熱交換器や前記弁とを接続する経路を前記ユニット内部に形成したこととしたものであり、ユニットを樹脂で形成し、熱交換器や弁とを接続する経路をユニット内部に形成して、取り付けたり取り外したりするという作用を有する。
【００２５】
また、前記弁を、前記ユニット内部に形成したこととしたものであり、弁を、ユニット内部に形成して、取り付けたり取り外したりするという作用を有する。
【００２６】
また、ユニットをいくつか分割した分割ユニットに形成し、前記分割ユニットを必要に応じて選択し組み立てることとしたものであり、製品仕様に応じて分割ユニットを必要に応じ選択して組み立てるという作用を有する。
【００２７】
また、浴室内に温水や水を噴霧する配管とユニットとの接続をワンタッチで接続することとしたものであり、浴室内に温水や水を噴霧する配管とユニットとの接続をワンタッチで接続して、取り付けたり取り外したりするという作用を有する。
【００２８】
以下、本発明の実施の形態について、図面を参照しながら説明する。
【００２９】
（実施の形態１）
図１および図２は、本発明の実施の形態１の浴室暖房乾燥機の構成を示すものである。
【００３０】
本体１に、捏交換器としての気液熱交換器２および液液熱交換器３と浴室に温水を霧状に噴射する噴射ノズル４と配管ユニット５備えており、配管ユニット５は、ユニットボックス６内に、熱源機（図示せず）から本体１へ送水された温水または水を液液熱交換器３へ給水する給水配管７と、液液熱交換器３から熱源機へ送水する排水配管８と、温水または水の流量を調整する流量制御弁９および気液熱交換器２への温水の供給を調整する熱動弁１０とおよび噴射ノズル４への温水の供給を調整する電磁弁１１より成るアクチュエータ部１２を設置して構成されている。
【００３１】
また、各配管接続部は、取り付けや取り外しを配管に上下または左右方向に押し込むだけで行なえるワンタッチで接続するワンタッチ継手１３によって接続をされる構成である。
【００３２】
上記構成において、気液熱交換器２や噴射ノズル４へ繋がる配管との接続は、配管ユニット５との接続を行なうだけで製品の組み立てやメンテナンスが可能となる。
【００３３】
また、接続をワンタッチで接続して、取り付けたり取り外したりする。
【００３４】
このように本発明の実施の形態１の浴室暖房乾燥機によれば、接続部を減らすことができるので、組み立て性やメンテナンス性が良くするとともに、機器により液液熱交換器３や気液熱交換器２や噴射ノズルなどの配置や構造が変わっても、その都度配管経路の設計を行うことがないこととなる。
【００３５】
（実施の形態２）
図３は、本発明の実施の形態２の浴室暖房乾燥機の構成を示すものである。
【００３６】
図３において実施の形態１と異なるところは、ユニットボックス６やアクチュエータ部１２を接続する経路を樹脂にて成形し、弁機能のみを内部に形成した開閉弁１５とし、樹脂配管ユニット１４として構成としたことである。
【００３７】
上記構成により、ユニット内部の配管を無くすことができ、また、気液熱交換器２や噴射ノズル４へ繋がる配管との接続は、樹脂配管ユニット１４との接続を行なうだけで製品の組み立てやメンテナンスが可能となる。
【００３８】
このように本発明の実施の形態２の浴室暖房乾燥機によれば、省スペースで複雑な経路でも容易に形成することができる。
【００３９】
また、弁としての機能部分のみをユニット内部に形成できるので、材料のコストダウンすることができ、かつ、組み立て性やメンテナンス性が良くし、また、機器により液液熱交換器３や気液熱交換器２や噴射ノズルなどの配置や構造が変わっても、その都度配管経路の設計を行うことがない。
【００４０】
（実施の形態３）
図４は、本発明の実施の形態２の浴室暖房乾燥機の構成を示すものである。
【００４１】
図４において実施の形態２と異なるところは、ユニットを弁ユニット１６、配管ユニット１７、熱交換器ユニット１８といくつかに分割した分割ユニットとして形成し、前分割ユニットを必要に応じて選択し組み立てる構成としたことである。
【００４２】
上記構成により、製品仕様に応じて標準化された数種類の分割ユニットを必要に応じ選択して組み立てることとなる。
【００４３】
このように本発明の実施の形態３の浴室暖房乾燥機によれば、製品仕様に応じて必要なユニットのみを選択できるので、コストダウンおよび容易に必要に応じた設計をすることができることとなる。
【産業上の利用可能性】
【００４４】
配管や弁をユニットとして構成することで、容易に組み立てやメンテナンスが可能であり、製品本体内に配管を有する送風機や換気扇などの機器にも適用できる。
【符号の説明】
【００４５】
１    本体
２    気液熱交換器
３    液液熱交換器
４    噴射ノズル
５    配管ユニット
６    ユニットボックス
７    給水配管
８    排水配管
９    流量制御弁
１０  熱動弁
１１  電磁弁
１２  アクチュエータ部
１３  ワンタッチ継手
１４  樹脂配管ユニット
１５  開閉弁
１６  弁ユニット
１７  配管ユニット
１８  熱交換器ユニット
【図１】
2011002173.tif 000003
【図２】
2011002173.tif 000004
【図３】
2011002173.tif 000005
【図４】
2011002173.tif 000006
【図５】
2011002173.tif 000007